(57)【要約】ネットワーク情報セキュリティの確保用システムアーキテクチャ及び方法であって、システムアーキテクチャはインターネット、プログラム断片処理ユニット、及びデータに対して暗号化及び復号化演算を行う認証ユニットを備える。方法は、それぞれ13桁の十進法の第1組及び第2組の2組のデータを取得し、EAN13及びシリアル番号コーディング原則に合致するか否かを判断し、合致する場合、2組のデータに対して暗号化演算を行い、第3組のデータを生成し、3組のデータコードを新しいIPアドレスとして取得し、新しいIPアドレスに対してプログラム断片処理を行い、認証センターが処理された3組のデータに対して復号化演算を行い、検算結果が「0」である場合、3組のデータを暗号化した後、情報を目標ユーザである被訪問者に送信し、ネットワークスアドレシングのために、3行に分けられた3組のデータコードを記憶しておくことを含む。本発明では、明示部分もあり、暗号部分もあり、訪問者にとってもユーザにとっても識別しやすく、模造しにくく、偽造しにくい。【選択図】図9
2017509275.tif 000002
【特許請求の範囲】
【請求項１】
ワイドエリアネットワーク、ローカルエリアネットワーク及びシングルコンピュータから、所定の通信プロトコルに応じて構成される国際コンピュータネットワークであるインターネットを含むネットワーク情報セキュリティの確保用システムアーキテクチャであって、前記システムはさらに、
データに対してプログラム断片処理を行うためのプログラム断片処理ユニットと、
データに対して暗号化及び復号化演算を行うための認証ユニットとを備えることを特徴とするネットワーク情報セキュリティの確保用システムアーキテクチャ。
【請求項２】
（1）、コンピュータの処理対象のそれぞれ13桁の十進法の第1組及び第2組の2組のデータを取得するステップと、
（2）、コンピュータが、第1組のデータが国際的EAN13コーディング原則に合致するか否かを判断し、合致する場合、バックグラウンドでそれをユーザのIPV4アドレスに対応付け、合致しない場合、エラー提示を行うステップと、
（3）、コンピュータが、第2組のデータがシリアル番号コーディング原則に合致するか否かを判断し、合致する場合、次のステップを行い、合致しない場合、エラー提示を行うステップと、
（4）、コンピュータが、前記EAN13コーディング原則に合致する第1組のデータとシリアル番号コーディング原則に合致する第2組のデータとに対して、商用暗号アルゴリズムで暗号化演算を行い、第3組のデータとして、1つの13桁の十進法検証コードを生成するステップと、
（5）、コンピュータが、第1組のデータ、第2組のデータ及び第3組のデータを3行に分けて、3組のデータコードをユーザの新しいIPアドレスとして取得するステップと、
（6）、訪問者がユーザの新しいIPアドレスを含む情報をコンピュータシステムのプログラム断片処理ユニットであるCN39−313に伝送し、CN39−313がデータに対してプログラム断片処理を行い、それを、各段が13桁の十進法数で、即ち、52桁の二進法数（52bit）である3段に分けるステップと、
（7）、コンピュータが3組のデータを認証センターに伝送し、認証センターが3組のデータに対して復号化演算を行い、検算結果が「0」である場合、3組のデータを暗号化した後、情報を目標ユーザである被訪問者に送信し、「1」である場合、送信を放棄するステップと、
（8）、コンピュータが、ネットワークスアドレシングのために、3行に分けられた3組のデータコードを記憶しておくステップと
を含むことを特徴とするネットワーク情報セキュリティの確保用システム方法。
【請求項３】
前記第2組のデータのコーディング原則、即ち、シリアル番号のコーディング原則は第1〜4桁が4桁の年コード、第5〜6桁が2桁の月コード、第7〜8桁が2桁の日コード、第9〜13桁が5桁の当日のシリアル番号コードであることを特徴とする請求項2に記載のネットワーク情報セキュリティの確保用システム方法。
【請求項４】
検証コードを取得した後、商用暗号アルゴリズムで復号化演算を行い、13桁の十進法の第1組及び第2組の2組のデータを取得することができることを特徴とする請求項2に記載のネットワーク情報セキュリティの確保用システム方法。
【請求項５】
前記コンピュータは、第1組のデータ、第2組のデータ及び第3組のデータを3行に分けて記憶し、記憶方式として、第1組のデータ、第2組のデータ及び第3組のデータを3行に分けて記憶することを特徴とする請求項2に記載のネットワーク情報セキュリティの確保用システム方法。
【請求項６】
商品識別子のプリントにおいて、前記コンピュータが第1組のデータ、第2組のデータ及び第3組のデータを3行に分けて記憶し、記憶方式として、第1組のデータ、第2組のデータ及び第3組のデータをそれぞれ下、上、中の3行に応じて記憶し、プリントすることを特徴とする請求項5に記載のネットワーク情報セキュリティの確保用システム方法。
【発明の詳細な説明】
【技術分野】
【０００１】
本発明は、ネットワーク情報セキュリティの確保における商用暗号技術の応用に関し、ネットワーク情報セキュリティを確保可能なデジタル暗号認証システム及び方法である。
【背景技術】
【０００２】
インターネットは、ワイドエリアネットワーク、ローカルエリアネットワーク及びシングルコンピュータから、所定の通信プロトコルに応じて構成する国際コンピュータネットワークである。また、インターネットは、2台のコンピュータ或いは2台以上のコンピュータ端末、クライアント、サーバ端末がコンピュータ情報技術の手段で互いに接続されたものである。
【０００３】
ネットワーク攻撃イベントに伴って、セキュリティの不完備により、ユーザセキュリティと保護対策は心配される焦点となっており、ひいてはセキュリティ意識の高い著名大手ユーザも同じ問題に直面しており、ネットワーク情報セキュリティ問題は情報社会の解決対象の重要な問題の1つとなっている。従って、設備の保有だけでなく、セキュリティ防護の確保も必要なIT需要となる。セキュリティの不完備は、各産業にわたり、アクセス、基礎システムアーキテクチャ及びアプリケーションに広がっており、固定及びモバイルネットワークのいずれにも発生する可能性があり、ユーザのエンティティ、知的財産権及び金融資本を破壊する。ネットワークの不完備による些細な故障時間でも、クライアントの体験、ユーザのブランドの評判に破壊的な影響を与え、最終的に業務の利益と持続性に影響を与える。
【０００４】
暗号技術はネットワーク情報セキュリティを保護するための重要な手段の1つである。暗号技術は古代から存在し、今まで、外交と軍事分野から一般事業に用いられるようになっている。暗号技術は情報機密性を保証する情報暗号化機能を有するだけでなく、デジタルサイン、アイデンティティ検証、システムセキュリティ等の機能も有している。従って、暗号技術を利用すれば、情報の機密性を保証できるだけでなく、情報の完全性と確定性を保証し、情報の改竄、偽装及び偽造を防止することもできる。
【発明の概要】
【発明が解決しようとする課題】
【０００５】
本発明は、以上の従来技術の不足に対して、ネットワーク情報を暗号化、識別及び保護するシステムアーキテクチャ及び方法を提供することを目的とし、明示部分もあり、暗号部分もあり、訪問者及びユーザにとって識別しやすく、模造しにくく、偽造しにくい。
【課題を解決するための手段】
【０００６】
本発明の目的は以下の技術方案によって達成する。
【０００７】
ワイドエリアネットワーク、ローカルエリアネットワーク及びシングルコンピュータから、所定の通信プロトコルに応じて構成される国際コンピュータネットワークであるインターネットを含むネットワーク情報セキュリティの確保用システムアーキテクチャであって、前記システムはさらに、
データに対してプログラム断片処理を行うためのプログラム断片処理ユニットと、
データに対して暗号化及び復号化演算を行うための認証ユニットとを備えるネットワーク情報セキュリティの確保用システムアーキテクチャ。
【０００８】
（1）コンピュータの処理対象のそれぞれ13桁の十進法の第1組及び第2組の2組のデータを取得するステップと、
（2）コンピュータが、第1組のデータが国際的EAN13コーディング原則に合致するか否かを判断し、合致する場合、バックグラウンドでそれをユーザのIPV4アドレスに対応付け、合致しない場合、エラー提示を行うステップと、
（3）コンピュータが、第2組のデータがシリアル番号コーディング原則に合致するか否かを判断し、合致する場合、次のステップを行い、合致しない場合、エラー提示を行うステップと、
（4）コンピュータが、前記EAN13コーディング原則に合致する第1組のデータとシリアル番号コーディング原則に合致する第2組のデータとに対して、商用暗号アルゴリズムで暗号化演算を行い、第3組のデータとして、1つの13桁の十進法検証コードを生成するステップと、
（5）コンピュータが、第1組のデータ、第2組のデータ及び第3組のデータを3行に分けて、3組のデータコードをユーザの新しいIPアドレスとして取得するステップと、
（6）訪問者がユーザの新しいIPアドレスを含む情報をコンピュータシステムのプログラム断片処理ユニットであるCN39−313に伝送し、CN39−313がデータに対してプログラム断片処理を行い、それを、各段が13桁の十進法数で、即ち、52桁の二進法数（52bit）である3段に分けるステップと、
（7）コンピュータが3組のデータを認証センターに伝送し、認証センターが3組のデータに対して復号化演算を行い、検算結果が「0」である場合、3組のデータを暗号化した後、情報を目標ユーザである被訪問者に送信し、「1」である場合、送信を放棄するステップと、
（8）コンピュータが、ネットワークスアドレシングのために、3行に分けられた3組のデータコードを記憶しておくステップと
を含むことを特徴とするネットワーク情報セキュリティの確保用システム方法。
【０００９】
ネットワーク情報セキュリティの確保用システム方法において、第2組のデータのコーディング原則、即ち、シリアル番号のコーディング原則は、第1〜4桁が4桁の年コードで、第5〜6桁が2桁の月コードで、第7〜8桁が2桁の日コードで、第9〜13桁が5桁の当日のシリアル番号コードである。
【００１０】
ネットワーク情報セキュリティの確保用システム方法において、検証コードを取得した後、商用暗号アルゴリズムで復号化演算を行い、13桁の十進法の第1組及び第2組の2組のデータを取得することができる。
【００１１】
ネットワーク情報セキュリティの確保用システム方法において、コンピュータが第1組のデータ、第2組のデータ及び第3組のデータを3行に分けて記憶し、記憶方式として、第1組のデータ、第2組のデータ及び第3組のデータを3行に分けて記憶する。
【００１２】
ネットワーク情報セキュリティの確保用システム方法において、商品識別子のプリントにおいて、前記コンピュータが第1組のデータ、第2組のデータ及び第3組のデータを3行に分けて記憶し、記憶方式として、第1組のデータ、第2組のデータ及び第3組のデータをそれぞれ下、上、中の3行に応じて記憶し、プリントする。
【発明の効果】
【００１３】
本発明は、設計されるネットワーク情報セキュリティの確保用方法において明示部分もあり、暗号部分もあり、訪問者及びユーザにとって識別しやすく、模造しにくく、偽造しにくく、安全性が高く、無関係の情報の送信を完全に遮蔽でき、より大きいアドレス空間、より小さいルーティングテーブルを有するという技術的利点を有する。
【図面の簡単な説明】
【００１４】
【図１】図1はシステムのシステムアーキテクチャの模式図である。
【図２】図2は3組のデータコードの模式図である。
【図３】図3は3組のデータコードの生成フローの模式ブロック図である。
【図４】図4は3組のデータコードの認証フローの模式ブロック図である。
【図５】図5は3組のデータコードの比較フローの模式ブロック図である。
【図６】図6は3組のデータコードのデータフローの模式ブロック図である。
【図７】図7はプログラム断片の模式図である。
【図８】図8は認証ユニットの模式図である。
【図９】図9はシステムのシステムアーキテクチャの詳細的な模式図である。
【発明を実施するための形態】
【００１５】
図面と実施方法を参照しながら本発明をさらに詳しく説明する。
【００１６】
システムのシステムアーキテクチャは、図1に示すように、主にユーザ、訪問者及びネットワークプラットフォーム等の多くの要素からなるインターネットと、プログラム断片ユニットと、認証ユニットとから構成されている。フロー全体は以下のとおりである。まず、認証ユニットによって、ユーザの新しいIPアドレスとして、3組のデータコードを生成して記憶し、訪問者はこの3組のデータコードを取得することができる。訪問者はユーザに訪問する時、ユーザの新しいIPアドレスを含む情報をネットワークによってプログラム断片ユニットに伝送する必要があり、プログラム断片ユニットは、データに対してプログラム断片処理を行い、それを3組のデータコードに分け、最後に認証センターによって3組のデータコードの真偽を検証し、検証に合格する場合、該情報を送信し、さもないと放棄する。
【００１７】
本発明はユーザEAN13コードを基礎とし、シリアル番号コード及び検証コードを増加した。EAN13コードは世界において商品を唯一に識別するための通用方式であり、IPアドレスはTCP／IPネットワークにおいてそれぞれのホスト又は設備を唯一に識別するためのアドレスであり、両者は互いに対応する。シリアル番号コードは第2組のコードを唯一に識別するためのものであり、IPV4に対する規則的拡大であり、IPアドレスが232個から264個に拡大され、現在のIPアドレスが不十分であるという技術的難題を解決した。検証コードは、EAN13コードとシリアル番号コードを、商用暗号アルゴリズムで暗号化したものである。暗号アルゴリズムの暗号化によって検証コードが取得された後、商用暗号アルゴリズムで復号化されることによってEAN13コードとシリアル番号コードが取得され、検証の目的を達成する。3組のデータコードは世界においてユーザのIPアドレスを唯一に識別することができ、ユーザの3組のデータコードが当てられる確率は十万億分の一であり、従って、3組のデータコードによってユーザを識別する誤差は十万億分の一である。
【００１８】
IPV4アドレスは全世界で既に割り当てられ、それぞれのIPV4アドレスはネットワークアドレスとホストアドレスの2つの部分を含む。インターネットに接続されたそれぞれのコンピュータはIPアドレスを自主的に設定できず、一つの管理機構により、申請した組織に唯一のネットワークアドレスを割り当てる、該組織は、自身のネットワークにおけるそれぞれのホストに1つの唯一のホストアドレスを割り当てることができ、ネットワークアドレスの唯一性とネットワーク内のホストアドレスの唯一性によってIPV4アドレスの全地球唯一性が確保される。
【００１９】
一、ユーザのEAN13コード
現在、中国はEAN（European  Article  Number）のメンバーであり、コード策進会により管理され、メーカーはEANコードの使用を申請することができる。EANコードは13コード及び8コードに分けられ、13コードは普通の商品に用いられ、8コードは体積の非常に小さい商品に用いられる。
【００２０】
1、EAN13コードのコーディング原則
第1〜3桁が国コードで、
第4〜7桁がメーカーコードで、
第8〜12桁が製品コードで、
第13桁がチェックコードである。
最初の3桁が国際において統一的に割り当てられるものであり、中国が690−695である。
690、691で始まる場合、4〜7桁がメーカーコードで、8〜12桁が製品コードであり、
692−695で始まる場合、4〜8桁がメーカーコードで、9〜12桁が製品コードであり、
最後の1桁がチェックコードである。
【００２１】
2、図書類のEAN13コード
第1〜3桁が図書類コードで、
第4〜12桁が元のISBNコードの前9桁で、
第13桁がチェックコードである。
【００２２】
3、定期刊行物類のEAN13コード
第1〜3桁が定期刊行物類コードで、
第4〜10が元のIASNコードの前7桁で、
第11〜12桁が、年コードで、
第13桁がチェックコードである。
【００２３】
4、EAN8コードとEAN13コードの関係
1）、EAN8コードのコーディング原則
第1〜3桁が国コードで、
第4〜7桁がメーカーコードで、
第8桁がチェックコードである。
2）、EAN8コードからEAN13への変換
第1〜3桁の国コードと、
第4〜7桁のメーカーコードと、を保留し、
第8〜12桁の00000を増加し、
第13コードがEAN13チェックコードである。
【００２４】
二、シリアル番号コード
【００２５】
1、当日生成された第2組のコードの数量が10万個以下の場合
第1〜4桁が4桁の年コード（例えば2007年）で、
第5〜6桁が2桁の月コード（例えば11月）で、
第7〜8桁が2桁の日コード（例えば21日）で、
第9〜13桁が5桁のシリアル番号コード（例えば00000〜99999）である。
【００２６】
2、当日の生成量が100万個以下の場合：
第1〜3桁が3桁の年コード（例えば2007年が007で示される）で、
第4〜5桁が2桁の月コード（例えば11月）で、
第6〜7桁が2桁の日コード（例えば21日）で、
第8〜13桁が6桁のシリアル番号コード（例えば000000〜999999）である。
【００２７】
3、当日の生成量が1000万個以下の場合
第1〜2桁が2桁の年コード（例えば2007年が07で示される）で、
第3〜4桁が2桁の月コード（例えば11月）で、
第5〜6桁が2桁の日コード（例えば21日）で、
第7〜13桁が7桁のシリアル番号コード（例えば0000000〜9999999）である。
【００２８】
三、検証コード
【００２９】
検証コードは商用暗号アルゴリズムで第1組のEAN13コードと第2組のシリアル番号コードを暗号化した13桁の十進法数であり、ランダムで、唯一のものである。
【００３０】
上記の3組のデータを下、中、上に配列させることで3組のデータコードが得られ、3組のデータコードは世界において1つのユーザを唯一に識別するためのものであり、且つ商用暗号アルゴリズムで暗号化、復号化させることで、真偽を検証することができ、ネットワーク情報セキュリティの識別及び保護の目的を達成する。
【００３１】
ネットワークIPの識別認証のために、0〜9の10個の数字が3組のデータコードのデータキャリアとされ、3組のデータコードが3行に分けて記憶される。
【００３２】
四、上記ステップによって作成された3組のデータコードは以下の利点を有する。
【００３３】
3組のデータコードは2組の平文と1組の暗号文からなり、3組のデータコードのセキュリティ信頼性が暗号アルゴリズムの機密性と秘密鍵に基づくものであり、従って、暗号文を公開しても暗号アルゴリズムの安全性に影響を与えない。暗号アルゴリズムを解読する可能性がないと言える。
【００３４】
3組のデータコードは39桁の十進法数からなり、その変化量が1039個であり、それにより全てのユーザの3組のデータコードが唯一のものであることが確保され、3組のデータコードは3組の13桁の十進法数からなり、そのうち第1組及び第2組が平文で、第3組が検証コード、即ち、暗号文である。従って、3組のデータコードが当てられる確率は十万億分の一であり、明らかに、これは極低確率のことであり、当てられたとしても、他のユーザの3組のデータコードに脅威を与えない。
【００３５】
五、3組のデータコードの応用
【００３６】
3組のデータコードによって第三者認証の確立を実現し、認証ユニットは暗号アルゴリズムと秘密鍵を有し、ユーザは3組のデータコードを有し、訪問者はこの3組のデータコードを取得することができる。訪問者は認証ユニットにユーザの3組のデータコードを含む情報を送信し、認証ユニットによって真偽を検証し、検証が合格する場合、該情報を送信し、さもないと放棄する。認証ユニットは送信者のIPをリアルタイムに監視し、あるIPが大量の3組のデータコードを持続的に送信する場合、認証に合格しても、認証ユニットは該IPを遮蔽し、情報の送信を阻止する。
【００３７】
ネットワーク、POSシステム、携帯電話等の様々な手段により3組のデータコードを読み取ることができ、操作が簡単で、迅速で便利に使用できる。3組のデータコードは体積が小さく（3cm＊3cm）、情報量が大きく（1039個）、且つ目視可能である。
【００３８】
1、3組のデータコードの機密性は、平文もあり、暗号文もあり、当てられる確率が十万億分の一であることにある。情報の秘密の基本原則の1つはアルゴリズムの詳細が公開されてもアルゴリズムの安全性に根本的な影響を与えず、即ち、セキュリティが秘密鍵に依存することであり、この方案では、暗号文が公開されても、3組のデータコードの安全性に影響を与えない。
【００３９】
2、3組のデータコードはユーザネットワーク情報のセキュリティ管理に応用され、ユーザによるネットワーク情報のデジタル化管理のために国際標準に合致するデジタルプラットフォームを提供する。3組のデータコードとユーザとが1対1で対応付けられ、認証ユニットによって、悪意の情報攻撃及びエラー情報がフィルタリングされ、ユーザのウェブサイトへの正常な訪問及びメールの処理速度を保証し、ユーザによるネットワーク情報処理の安全性及び適時性を向上させる。
【００４０】
六、3組のデータコードのシステムを作成するために、コンピュータ認証ユニット、3組のデータコード読取システムを設ける必要がある。
【００４１】
コンピュータ認証ユニットは、暗号化、復号化、コーディング、デコーディング、ネットワーク伝送、データクエリー、データ比較等の機能を有し、EAN13コードデータベース、IPV4アドレスデータベース、3組のデータコードデータベース、商用暗号データベース等が設けられており、商用暗号データベースは、秘密鍵と商用暗号アルゴリズムを管理することで、秘密鍵とアルゴリズムのセキュリティを確保するためのものである。
【００４２】
認証ユニットはユーザのEAN13コードデータ、シリアル番号コードデータを収集し、データベースを初期化する。商用暗号アルゴリズムで該データベースのデータを暗号化し、13桁の十進法数の商品検証コードを生成し、対応する3組のデータコードデータベースに記憶する。上記の3組のデータを上、中、下の順に記憶して、「3組のデータコード」になる。それぞれのユーザは1つの3組のデータコードで認証され、訪問者は、コード読取装置によってユーザの3組のデータコードを読み取り、ネットワークを介して認証ユニットに伝送する。認証ユニットは3組のデータコードをデコーディングし、13桁の十進法の3組のデータに変換し、商用暗号アルゴリズムで復号化し、該3組のデータコードの合法性を検証し、合法する場合、EAN13コード、シリアル番号コードを生成し、このEAN13コード、シリアル番号コードを初期データベースにおけるEAN13コード及びシリアル番号コードと比較し、比較が合格する場合、検証に合格したとし、該情報を伝送し、さもないと放棄する。
【００４３】
3組のデータコード読取システムは、訪問者に各種の読取方式を提供し、訪問者は、3組のデータコードを認証ユニットに伝送し、EAN13コードが合法するか否かを判断し、シリアル番号コードが合法するか否かを判断し、さらにEAN13コードとシリアル番号との組み合わせが合法するか否かを判断し、最後に検証コードが合法するか否かを判断する。合法しない場合、伝送を放棄し、合法する場合、該情報を直接送信する。
【００４４】
3組のデータコードによるネットワーク情報セキュリティの保護すは、以下のステップに分けられている。
【００４５】
1、 暗号アルゴリズムの申請
『商用暗号管理条例』の規定に応じて所要の商用暗号アルゴリズム、例えば寄せ集めアルゴリズム、乱数生成アルゴリズムを審査して認可する。
【００４６】
2、 3組のデータコード及びEAN13コードの模式図は図2に示され、
3組のデータコードはユーザのEAN13コード、シリアル番号コード、検証コードからなり、上、中、下の3組のEAN13コードからなる。
【００４７】
3、3組のデータコードの生成は、図3に示すように、
（1）初期化：認証ユニットはユーザのEAN13コード、シリアル番号コードを収集し、データベースを初期化する。
（2）暗号化：暗号アルゴリズムで該データベースのデータを暗号化し、13桁の十進法数の検証コードを生成し、対応する暗号データベースに記憶する。
（3）コーディング：ユーザのEAN13コード、シリアル番号コード、検証コードを3組の13桁の十進法数に分け、3組のデータコードデータベースに記憶する。
【００４８】
4、3組のデータコードの識別は、図4に示すように、
（1）コード読取：訪問者はコード読取装置によって3組のデータコードを読み取り、ネットワークを介して認証ユニットに伝送する。
（2）デコーディング：認証ユニットは3組のデータコードをデコーディングし、3組の13桁の十進法数に変換する。検証コードを暗号データベースに記憶する。
（3）復号化：認証ユニットは商用暗号アルゴリズムで検証コードを復号化し、2組の13桁の十進法数、即ち、デジタル認証平文を生成する。
【００４９】
5、3組のデータコードの比較は、図5に示すように、
（1）認証ユニットは該デジタル認証平文を初期データベースの該商品のEAN13コード、シリアル番号コードと比較する。
（2）比較結果をフィードバックし、一致する場合、検証に合格したとし、情報を伝送し、一致しない場合、伝送を放棄する。
【００５０】
6、3組のデータコードのデータフローは、図6に示すように、
（1）認証ユニットを設け、該センターは暗号化、復号化、コーディング、デコーディング、ネットワーク伝送、データクエリー、データ比較等の機能を有する。
（2）認証ユニットは、2組の13桁の十進法のデータである、ユーザのEAN13コード、シリアル番号コードを収集し、暗号化によって1組の13桁の十進法のデータを生成し、ネットワークスアドレシングのために、3組のデータを3組のデータコードデータベースに記憶しておく。訪問者は3組のデータコードの十進法データを読み取り、又は3組のデータコードのEAN13コードデータを読み取り、該データを認証ユニットに伝送し、検証コードは復号化してユーザのEAN13コードとシリアル番号コードの2組の十進法データを生成し、デジタル認証平文データベースに記憶する。デジタル認証平文データベースを初期化データベースと比較し、結果に基づいて情報を伝送するか否かを決定する。
【００５１】
7、プログラム断片は、図7に示すように、
（1）訪問者はユーザの新しいIPアドレスを含む情報をネットワークによってCN39−313に伝送する。
（2）CN39−313はデータを各段が13桁の十進法数で、52bitである3段に分けるように、プログラム断片処理を行う。
【００５２】
8、認証ユニットは、図8に示すように、
（1）認証ユニットは3組のデータに対して復号化演算を行う。
（2）検算結果が「0」である場合、伝送し、「1」である場合、放棄する。
【００５３】
9、システムのシステムアーキテクチャは、図9に示すように、
図9はシステムのシステムアーキテクチャの詳しい模式図であり、主に認証センター、メーカー、銀行、ネットワークプラットフォーム、物流企業及び消費者等の様々な要素からなり、システム全体の動作フローは基本的に以下のとおりである。まず、図における左側の認証センターによって3組のデータコードを生成し、次に物理的分離の方式で各使用メーカーに送信し、メーカーが受信した後に生産ラインのラベル付け装置によって3組のデータコードを対応的に商品に貼り付けて物流企業によって流通させ、消費者が商品を得た後に、スマートフォン或いはインテリジェント端末機器によって商品の3組のデータコードをクエリーすることができ、クエリーされる情報項目は商品の基本生産情報、原材料情報、検査検疫情報、基地情報等の上流の「トレーサビリティ情報」だけでなく、商品の包装出荷から各級物流流通、商家販売及び消費者購買、さらに再販、紛失までの下流の「追跡情報」も含んでている。
【００５４】
食品セキュリティクラウドサービスプラットフォームのデータフローは、認証センター（データ生成）→メーカー（データを受信して単一の商品に対応付ける）→物流企業（データ流通）→消費者（データクエリー）→認証センター（データを認証し、「0」である場合、合格とし、クエリー要求をメーカーに転送する）→メーカー（クエリー要求を受信してフィードバックする）である。ここで、消費者は手に入れた商品をクエリーする場合、データが必ず認証センターに戻って認証され、商品の3組のデータコードが存在するか否か、正確で合法するか否かが認証され、識別子の3組のデータの認証結果が0である場合のみ合格とされ、次にそのメーカーのデータベースにスアドレシングし、対応する商品情報が呼び出され、消費者のクエリー端末に送信されて表示される。
【００５５】
ネットワーク情報セキュリティの確保用方法のシステムのシステムアーキテクチャ図は、図9に示されるシステムのシステムアーキテクチャ図に基づき行われるものであり、相違点として、該システムのシステムアーキテクチャ図は主に認証センター、ユーザ、ネットワークプラットフォーム及び訪問者等からなり、動作フロー全体は基本的に以下のとおりである。まず、図における左側の認証ユニットによって、ユーザの新しいIPアドレスとして、3組のデータコードを生成して記憶し、訪問者はこの3組のデータコードを取得することができる。訪問者はユーザに訪問する時、認証ユニットにユーザの3組のデータコードを含む情報を送信する必要があり、認証ユニットによって真偽を検証し、検証に合格する場合、該情報を送信し、さもないと放棄する。
【００５６】
対応するデータフロー図は、認証ユニット（データ生成）→ユーザ（新しいIPアドレスが与えられる）→訪問者（新しいIPアドレスを読み取る）→認証ユニット（認証と伝送を行い、3組のデータに対して復号化演算を行い、検算結果が「0」である場合伝送し、「1」である場合放棄する）→ユーザ（情報の内容に基づいて対応的にフィードバックする）。この過程において、訪問者はユーザに訪問する時、ユーザの3組のデータコードを含む情報を認証ユニットに送信し、認証結果が0である場合のみ、認証ユニットは該情報をユーザに送信する。
【図１】
2017509275.tif 000003
【図２】
2017509275.tif 000004
【図３】
2017509275.tif 000005
【図４】
2017509275.tif 000006
【図５】
2017509275.tif 000007
【図６】
2017509275.tif 000008
【図７】
2017509275.tif 000009
【図８】
2017509275.tif 000010
【図９】
2017509275.tif 000011
【国際調査報告】
2017509275.tif 000012
2017509275.tif 000013
2017509275.tif 000014
2017509275.tif 000015